(57)【特許請求の範囲】
【請求項１】
前面板と高周波成分を流す筐体とで平面ディスプレイパネルを取り囲む平面ディスプレイ装置であって、前記前面板は外側と内側のそれぞれの面に導電性の膜または金属性のメッシュを備え、前記前面板の内側の導電性膜または金属性のメッシュは前記筐体の内部のドライバー駆動回路のグラウンドに接続し、さらに、前記前面板の外側の導電性膜または金属性のメッシュは前記筐体のグラウンドに接続することを特徴とする平面ディスプレイ装置。
【請求項２】
平面ディスプレイパネルと、前記平面ディスプレイパネルの熱を放散させる放熱板と、前記平面ディスプレイパネルと前記放熱板を取り囲み高周波成分を流す筐体と、前記放熱板をボルトによって固定するスタンドとを備え、前記ボルトは前記スタンド及び前記筐体と電気的に分離し、前記スタンドは前記筐体のグラウンドに電気的に接続することを特徴とする平面ディスプレイ装置。
【請求項３】
ボルトが金属でない材料からなることを特徴とする請求項２記載の平面ディスプレイ装置。
【請求項４】
平面ディスプレイパネルと放熱板との間にフェライトを混入した熱伝導性シートを挿入したことを特徴とする請求項２記載の平面ディスプレイ装置。
【発明の詳細な説明】
【０００１】
【発明の属する技術分野】
本発明は、平面ディスプレイの不要輻射ノイズを低減するシールド構造に関し、特にノイズの高周波領域での特性改善を目標とする。
【０００２】
【従来の技術】
図３は、従来の平面ディスプレー（ここではプラズマディスプレイとして説明する）のシールド構造の断面図である。以下、図を参照しながら説明する。
【０００３】
図３において、１はプラズマディスプレイの筐体であり、２は前面ガラスであり、２の前面ガラスの内側に、１２の銀蒸着膜（もしくは金属メッシュ）が形成されている、３はプラズマディスプレイパネルを構成する２枚のガラス板であり、４は３のプラズマディスプレイパネルの熱を放散させる放熱板であり、５は３のプラズマディスプレイパネルと４の放熱板とを密着させるための熱伝導シート、６はボルトであり、７はプラズマディスプレイパネルを立てるためのスタンドであり、８は絶縁物、９はプラズマディスプレイパネルに画像を映し出すための信号の出力を制御するドライバー回路、１０はドライバー回路９からの信号をプラズマディスプレイパネルに流すためのフレキシブルケーブル、１１は２の前面ガラスを１の筐体に固定し、さらに１２の銀蒸着膜と１の筐体を電気的に接続するための金具である。
【０００４】
以上の構成により、１のプラズマディスプレイパネルとその駆動回路等々をシールドしている。
【０００５】
【発明が解決しようとする課題】
上記の従来例のシールド構成において、図３の３のプラズマディスプレイの内部構造に関して説明する。図３において１３はプラズマディスプレイの上側ガラスであり、１４がプラズマディスプレイの下側ガラスである。１３，１４のガラスの内側に電極が構成されており、１３のガラスの内側には、横方向にはしる１５の走査電極があり、１４のガラスの内側には１６の信号電極が構成され、さらに１６の信号電極と信号電極間にプラズマ放電が隣の電極に影響を及ぼさないように、分離用の１７のリブが構成されている。
【０００６】
上記のような構成のプラズマディスプレイパネルにおいて、走査電極１５と信号電極１６には１００Ｖから２００Ｖｐ−ｐのパルス電圧が印加され、さらに、図３においてプラズマディスプレイパネルの大きさが大きいために、１３のガラスの内側に構成された１５の走査電極と、２の前面カラスの内側に構成された１２の銀蒸着膜間に１８の浮遊容量１が存在するために、１５の走査電極に印加させたパルスの高周波成分が１８の浮遊容量１を介して１の筐体に流れるために１の筐体から高周波成分が輻射されることになる。
【０００７】
また、プラズマディスプレイパネルの大きさが大きいために、１４のガラスの内側に構成された１６の信号電極と、４の放熱板間に１９の浮遊容量２が存在し、１６の走査電極に印加させたパルスの高周波成分が１９の浮遊容量２を介して６のボルトに流れ、次に、６のボルトと７の金属製のスタンドが８の絶縁物で電気的に分離されているが、２０の浮遊容量３が存在するために、６のボルトに流れる高周波成分が２０の浮遊容量３を介して７のスタンドに流れ、７のスタンドから高周波成分が輻射されることになる。
【０００８】
これらの輻射された高周波成分は平面ディスプレイパネルの画像に悪影響を与えてしまう。
【０００９】
【課題を解決するための手段】
上記の課題を解決するために、本願発明は、マトリックス駆動型の平面ディスプレイパネルの前面に配置される前面板の表裏に導電性の膜または金属性のメッシュを形成し、前記平面ディスプレイパネル側の上記前面板上の導電性膜または金属性のメッシュを前記平面ディスプレイパネルのドライバー駆動回路のグラウンドに接続し、さらに、前記前面板の反対側の導電性膜または金属性のメッシュを前記平面ディスプレイパネルの筐体のグラウンドに接続したことを特徴とし、筐体内部で発生する高周波成分を筐体の外部に漏らさないようにするためのシールド構造を有する平面ディスプレイ装置を提供する。
【００１０】
【発明の実施の形態】
請求項１に記載した本発明の平面ディスプレイ装置は、  マトリックス駆動型の平面ディスプレイのパネルの前面に配置される前面板、例えば不要輻射防止用ガラスまたはアクリル板の表裏に導電性の膜または金属性のメッシュを形成し、平面ディスプレイ側の上記前面板上の導電性膜または金属性のメッシュをドライバー駆動回路のグラウンドに接続し、さらに、上記前面板の反対側の導電性膜または金属性のメッシュを筐体グラウンドに接続したこと有する。この構成により前面ガラスの両面の銀蒸着膜により、２重シールド構造が実現でき、内側の銀蒸着膜に発生する高周波成分はドライバーのグランドにもどるために、前面ガラスの外側の銀蒸着膜上に発生する高周波成分が小さくなり筐体から輻射する不要成分も小さくなる。
【００１１】
請求項２に記載した本発明の平面ディスプレイ装置は、上記平面ディスプレイ装置のなかで、特にプラズマディスプレイにおいて放熱用に設けられた放熱板と上記を取り囲む筐体と、筐体全体を支えるスタンドの機械的接続に関して上記放熱板とスタンドをボルトで固定する構造において、ボルトと筐体を電気的に分離する構造を設け、さらに、筐体とスタンドを電気的に接続するという構造を有する。この構成によりスタンドが筐体に電気的に接続されるためにスタンドの電位が筐体グランドに固定されるために、スタンドがアンテナにならないので、不要輻射成分が小さくなる。
【００１２】
請求項３に記載した本発明の平面ディスプレイ装置は、請求項２のスタンドに関して、ボルトで固定される部分を金属以外の構造物で構成したことを有する。この構成によりスタンドを金属物以外で構成するために浮遊容量が極端に小さくできるので、不要輻射成分を減少させることが可能である。
【００１３】
請求項４に記載した本発明の平面ディスプレイ装置は、請求項２に記載の構造において、プラズマディスプレイと放熱板の間にフェライトを混入した熱伝導性シートを挿入した構造を有する。この構成により、スタンドを金属物以外で構成するために浮遊容量が極端に小さくできるので、不要輻射成分を減少させることが可能である。
【００１４】
本願発明の実施の形態例を図面を用いて説明する。
（実施の形態１）
図１は、本発明の実施例に係わる平面ディスプレイ装置の断面図を示す図である。図１において、１はプラズマディスプレイの筐体であり、２は前面ガラスであり、２の前面ガラスの内側に、１２の銀蒸着膜（もしくは金属メッシュ）が形成されており、さらに、２の前面ガラスの外側に２１の銀蒸着膜（もしくは金属メッシュ）が形成されており、３はプラズマディスプレイパネルを構成する２枚のガラス板であり、４は３のプラズマディスプレイパネルの熱を放散させる放熱板であり、５は３のプラズマディスプレイパネルと４の放熱板とを密着させるための熱伝導シート、６はボルトであり、７はスタンドであり、８は絶縁物、９はドライバー回路、１０はフレキシブルケーブである。
【００１５】
ここで、前面ガラス２の内側の銀蒸着膜１２は２２の経路により、高周波成分をドライバー回路９に戻す、さらに前面ガラス２の外側の銀蒸着膜２１は筐体１に電気的に接続されている。
【００１６】
以上の構造により、１３のガラスの内側に構成された１５の走査電極と、２の前面カラスの内側に構成された１２の銀蒸着膜間に１８の浮遊容量１が存在し高周波成分が１２の銀蒸着膜に流れるが、２２の経路を介してドライバー回路９に高周波成分が流れ、２１の銀蒸着膜上を流れる高周波成分は低減されることで、１の筐体がプラズマディスプレイパネルと駆動回路等々をシールドしたことになる。
【００１７】
さらに、筐体１とスタンド７は２３の電気的接続手段により電気的に接続されている。２３の電気的接続手段は図２（ａ）に示すような２５のバネが一手段として考えられる。図２（ｂ）に実施例としてのバネ２５を示す。
【００１８】
次に、図１の６のボルトに関して、ボルトの材料を金属でない材料を用いることで、２０の浮遊容量は無視できることになる。
【００１９】
さらに７のスタンドのボルトを固定する部分に２４のフェライト材料で構成されたシートを巻くことでも、上記と同様に浮遊容量を無視できることになる。またプラズマディスプレイパネル３と放熱板４の間にフェライトを混入した熱伝導性シート４を挿入することで、１９の浮遊容量２を無視できることで、筐体１の外部に高周波成分が漏洩することがなくなる。
【００２０】
【発明の効果】
以上のように本発明によれば、筐体内部と筐体外部を結びつける浮遊容量を除去することで、筐体内部で発生する高周波成分を筐体外部に漏洩させないシールド構造が実現できることで、不要輻射を低減を実現できる。
【図面の簡単な説明】
【図１】本発明の一実施の形態例である平面ディスプレイ装置の断面図
【図２】同装置の筐体とスタンドの電気的接続手段の構造の一実施例を示すための図
【図３】従来の平面ディスプレイ装置の断面図
【符号の説明】
１  筐体
２  前面ガラス
３  プラズマディスプレイパネル
４  放熱板
５  熱伝導性シート
６  ボルト
７  スタンド
８  絶縁物
９  ドライバー回路
１０  フレキシブルケーブル
１１  金具
１２  銀蒸着膜（もしくは金属メッシュ）
１３  ３のプラズマディスプレイパネルの上側ガラス
１４  ３のプラズマディスプレイパネルの下側ガラス
１５  走査電極
１６  信号電極
１７  リブ
１８  浮遊容量１
１９  浮遊容量２
２０  浮遊容量３
２１  銀蒸着膜（もしくは金属メッシュ）
２２  経路
２３  電気的接続手段
２４  フェライト材料で構成されたシート
２５  バネ
【図１】
0003629924.tif 000002
【図２】
0003629924.tif 000003
【図３】
0003629924.tif 000004